(57)【特許請求の範囲】
【請求項１】
一対のテープ状の基材にこれに沿って延びる互いに嵌合可能な第一及び第二嵌合部をそれぞれ設けて第一及び第二テープ体を形成し、該各テープ体の基材の一側縁部が薄肉の接合部を介して互いに接合され、該接合部を折り目にして前記各テープ体を互いに重ね合わせるように折り畳んで前記各嵌合部を互いに嵌合させる嵌合具において、
前記各テープ体の少なくとも一方には、前記接合部を折り目にした各テープ体の折り畳み時に前記接合部よりもテープ幅方向外側に突出する保護部が設けられることを特徴とする嵌合具。
【発明の詳細な説明】
【技術分野】
【０００１】
この発明は、袋体の開口部近傍の内面に設けられるテープ状の嵌合具に関する。
【背景技術】
【０００２】
従来、食品、薬品及び雑貨等の各種分野において、袋体の開口部近傍の内面にテープ状の嵌合具（ジッパーテープ）を設けて前記開口部を繰り返し開閉可能とした嵌合具付き袋体（チャック袋）が広く知られている。前記嵌合具は、テープ状の基材に突条の雄側嵌合部が設けられた雄側テープ体と、同じくテープ状の基材に凹条の雌側嵌合部が設けられた雌側テープ体とを備え、前記各嵌合部を互いに着脱可能に嵌合させるものである。
【０００３】
前記嵌合具の中には、各テープ体の基材の一側縁部が該基材に対して脆弱な接合部を介して互いに接合され、該接合部を折り目にして各テープ体を互いに重ね合わせるように折り畳んで前記各嵌合部を互いに嵌合させるものがある（例えば、特許文献１参照。）。これは、各テープ体間が接合されることで袋体の初期開封前における密封性を高め、かつ袋体の初期開封時には各嵌合部同士の嵌合解除と共に前記接合部を容易に破断させるものである。
【特許文献１】特開２００６−５１９８７号公報
【発明の開示】
【発明が解決しようとする課題】
【０００４】
ところで、前記嵌合具は、各テープ体を互いに嵌合させた状態で例えばロール状に巻き取られる。
しかしながら、上記従来の後者のものは、比較的脆弱な接合部（折り目部）が折り畳み状態の嵌合具の側縁部に位置することから、嵌合具を巻き取り工程等の次工程に搬送する際にそのガイドロールの内面等に接合部が接触し易いという課題がある。これは、前記接合部に擦れ傷等を発生させ易く、不良品の発生原因となって歩留まりを低下させてしまうため、このような点の改善が要望されている。
そこでこの発明は、接合部を折り目に折り畳まれて互いに嵌合する一対のテープ体からなる嵌合具において、前記嵌合具の搬送時における接合部への傷付きを抑制して歩留まりを向上させることを目的とする。
【課題を解決するための手段】
【０００５】
上記課題の解決手段として、請求項１に記載した発明は、一対のテープ状の基材にこれに沿って延びる互いに嵌合可能な第一及び第二嵌合部をそれぞれ設けて第一及び第二テープ体を形成し、該各テープ体の基材の一側縁部が接合部を介して互いに接合され、該接合部を折り目にして前記各テープ体を互いに重ね合わせるように折り畳んで前記各嵌合部を互いに嵌合させる嵌合具において、前記各テープ体の少なくとも一方には、前記接合部を折り目にした各テープ体の折り畳み時に前記接合部よりもテープ幅方向外側に突出する保護部が設けられることを特徴とする。
【発明の効果】
【０００６】
請求項１に記載した発明によれば、接合部を折り目に折り畳んだ状態の嵌合具を次工程（巻き取り工程）に搬送する際、該嵌合具案内用のガイドロールの内面に接合部ではなく保護部が当接することとなる。また、嵌合具を巻き取った後にも外部からの接合部への接触が防止される。すなわち、脆弱な接合部（折り目部）のガイドロール内面との擦れ等による傷付きを抑制でき、不良品の発生を抑えて歩留まりを向上させることができる。
【発明を実施するための最良の形態】
【０００７】
以下、この発明の実施例について図面を参照して説明する。
図１はこの実施例におけるテープ状の嵌合具（ジッパーテープ）１の長手方向に直交する断面図であり、本図に示すように、嵌合具１は、テープ状（帯状）の基材２にこれに沿って延びる突条の雄側嵌合部４が設けられた雄側テープ体６と、同じくテープ状の基材３に凹条の雌側嵌合部５が設けられた雌側テープ体７とを備え、前記各嵌合部４，５を互いに着脱可能に嵌合させる。各テープ体６，７の基材２，３の一側縁部は該基材に対して薄肉の接合部８を介して互いに接合され、該接合部８を折り目にして各テープ体６，７が互いに重なり合うように折り畳まれて各嵌合部４，５を互いに嵌合させる。
【０００８】
嵌合具１を構成する樹脂に特に制限はないが、ポリエチレン、ポリプロピレン等のポリオレフィン系樹脂並びに他の熱可塑性樹脂が好適に用いられる。また二種以上からなる樹脂組成物であってもよく、必要に応じて安定剤、酸化防止剤、滑剤、帯電防止剤、着色剤等の公知の添加剤を添加してもよい。さらに雄側及び雌側嵌合部４，５の形状や数量については特に制限はなく、再開閉機能を有するものであれば任意の形状とすることができる。さらに、各テープ体６，７は単層に限らず他の層を有する多層であってもよい。前記他の層としては、ヒートシール層、耐熱層、バリア層等が挙げられる。
【０００９】
嵌合具１は、図２に示す如く各テープ体６，７を同一平面上に展開した状態で、例えば押出成形により一体形成される。具体的には、嵌合具１は、例えば所定の押出機を用いて材料を溶融混練し、この溶融材料を図２に示す断面形状と同形の開口を有する異形ダイから押出し、これを冷却固化することで一体形成される。成形後の嵌合具１は、所定の折り畳み工程を経て図１に示す如く折り畳まれて各嵌合部４，５同士を嵌合させた後、所定の巻き取り工程において図３（ａ）に示すドラム巻取機２１に巻き取られる。
【００１０】
嵌合具１は、図１に示す如く折り畳まれた状態で、図４に示す如く所定の袋体１２の開口部近傍の内面に熱溶着等により一体に取り付けられる。
【００１１】
嵌合具１の基材２，３の厚さは１５０〜２５０μｍが好ましい。接合部８の厚さは１０μｍ以上１００μｍ以下である。好ましくは、接合部８の厚さは２０μｍ以上８０μｍ以下であり、より好ましくは２０μｍ以上５０μｍ以下である。
接合部８の厚さを上述のように規定したのは、接合部８が１０μｍ未満の場合、これを容易に破断できる反面、内容物を充填する際等に強度不足で破断してしまうからであり、接合部８が１００μｍより厚いと、その強度がありすぎて容易に破断できないからである。
【００１２】
ここで、図１に示すように、嵌合具１には、その折り畳み時に接合部８よりもテープ幅方向外側に突出する保護部９が設けられる。保護部９は、例えば雄型テープ体６の接合部８側の側縁部に一体形成されるもので、図１の断面視においてテープ幅方向外側に直線状に突出し、嵌合具１の全長に渡って設けられる。
【００１３】
図３（ｂ）に示すように、嵌合具１は、その折り畳み後に前記ドラム巻取機２１に巻き取られる際には、例えば断面コ字状のガイドロール２２内を通過しつつドラム巻取機２１まで案内される。このとき、折り畳み状態の嵌合具１のテープ幅方向両端部（両側縁部）がガイドロール２２の両内側面に適宜摺接することとなるが、前述の如く保護部９を設けることで、嵌合具１の接合部８側の側縁部においては、接合部８に代わり保護部９がガイドロール２２内に摺接する。これにより、嵌合具搬送時における擦り傷等から接合部８が保護される。また、嵌合具１を巻き取った後にも外部からの接合部８への接触が防止されることとなる。
【００１４】
嵌合具１の折り畳み時における保護部９の嵌合具１の側縁部（接合部８）からの突出量は０．１ｍｍ以上３．０ｍｍ以下の範囲内である。これは、保護部９の突出量が０．１ｍｍ未満だと接合部８を十分に保護できず、３．０ｍｍよりも長いと嵌合具１のテープ幅を無用に広げることとなり、樹脂量増加によるコスト高になると共にジッパー全体のバランスが悪くなるからである。現実的には、保護部９の突出長さは折り目から０．４ｍｍ〜０．５ｍｍとなる。なお、保護部９の厚さは特に規定しないが、基材２，３と同等以上の厚さとすれば、テープ体６，７がガイドロール２２から受ける圧力が増大したとしても容易に撓むことがないため好ましい。
【００１５】
以下、実施例を示す。
〔実施例１〕
嵌合具１の材料として、融点１４２℃、ＭＦＲ（メルトフローレート）６．０ｇ／１０分のランダムポリプロピレン１００重量％を用意し、口径が４０ｍｍ、Ｌ／Ｄ（スクリュー長／径）が２５の押出機を用いて２１０℃に溶融混練し、図２に示す断面形状と同形の開口を有する異形ダイに導いて押出し成形後、冷却水槽に導いて冷却固化させることで、テープ幅１６ｍｍ、保護部９長さ０．５ｍｍ、重量６．５ｇ／ｍの嵌合具１を得た。
【００１６】
〔比較例１〕
図２に示す断面形状から保護部９を無くした形状の開口を有する異形ダイに変更した以外は上記実施例１と同様にして、保護部９を有さない嵌合具を得た。
【００１７】
〔評価〕
上記実施例１の嵌合具１と比較例１の嵌合具とをそれぞれ前記接合部８を折り目に折り畳んだ後、これらを前記ドラム巻取機２１にて外径４７０ｍｍ、内径２１０ｍｍ、胴幅２２５ｍｍのドラムに個別に巻き取り、その後に前記接合部８の擦れ傷及び破損等の有無を確認し評価した。
その結果、実施例１のものは前記接合部８に擦れ傷等がなく良好であった。一方、比較例１のものは前記接合部８に擦れ傷が多数あり良くなかった。
【００１８】
以上説明したように、上記実施例における嵌合具１は、一対のテープ状の基材２，３にこれに沿って延びる互いに嵌合可能な雄側及び雌側嵌合部４，５をそれぞれ設けて雄側及び雌側テープ体６，７を形成し、該各テープ体６，７の基材２，３の一側縁部は該基材に対して脆弱な接合部８を介して互いに接合され、該接合部８を折り目にして前記各テープ体６，７を互いに重ね合わせるように折り畳んで前記各嵌合部４，５を互いに嵌合させるものにおいて、前記各テープ体６，７の少なくとも一方には、前記接合部８を折り目にした各テープ体６，７の折り畳み時に前記接合部８よりもテープ幅方向外側に突出する保護部９が設けられるものである。
【００１９】
この構成によれば、接合部８を折り目に折り畳んだ状態の嵌合具１を次工程（巻き取り工程）に搬送する際、該嵌合具案内用のガイドロール２２の内面に接合部８ではなく保護部９が当接することとなる。また、嵌合具１を巻き取った後にも外部からの接合部８への接触が防止される。すなわち、脆弱な接合部８（折り目部）のガイドロール２２内面との擦れ等による傷付きを抑制でき、不良品の発生を抑えて歩留まりを向上させることができる。
【００２０】
なお、この発明は上記実施例に限られるものではなく、例えば図５（ａ），（ｂ）に示す各嵌合具１０１，２０１のように、断面視でフック型に湾曲する保護部１０９や鉤型に屈曲する保護部２０９を有するものであってもよい。また、保護部９，１０９，２０９は各テープ体６，７の何れに設けられてもよい。さらに、図５（ｃ）に示す嵌合具３０１のように、各テープ体６，７の両方に保護部９，１０９，２０９の何れかが設けられたものであってもよい。
そして、上記実施例における構成はこの発明の一例であり、当該発明の要旨を逸脱しない範囲で種々の変更が可能であることはいうまでもない。
【図面の簡単な説明】
【００２１】
【図１】本発明の嵌合具の一例を示す断面図である。
【図２】上記嵌合具を展開した状態を示す断面図である。
【図３】上記嵌合具を巻き取る際の説明図であり、（ａ）はドラム巻取機の概略平面図、（ｂ）は（ａ）のＡ−Ａ断面図である。
【図４】上記嵌合具を袋体に用いた状態の断面図である。
【図５】（ａ），（ｂ），（ｃ）はそれぞれ上記嵌合具の変形例を示す断面図である。
【符号の説明】
【００２２】
１  嵌合具（ジッパーテープ）
２，３  基材
４  雄側嵌合部（第一嵌合部）
５  雌側嵌合部（第二嵌合部）
６  雄側テープ体（第一テープ体）
７  雌側テープ体（第二テープ体）
８  接合部
９  保護部
１２  袋体
【図１】
0005087345.tif 000002
【図２】
0005087345.tif 000003
【図３】
0005087345.tif 000004
【図４】
0005087345.tif 000005
【図５】
0005087345.tif 000006